(57)【要約】両面発光型パネル（両面表示が可能なパネル）を表示装置または携帯情報端末に挿入し、容積の小さいモジュールを実現する。本発明の表示装置は、表示面と、互いに接続されている第１の筐体及び第２の筐体と、表面及び裏面にそれぞれ表示面を有する両面発光型パネルとを有する表示装置において、前記両面発光型パネルは前記第１の筐体と接続し且つ前記第１の筐体と重ねたときに前記第１の筐体と前記第２の筐体の間に位置するように配置され、さらに前記両面発光型パネルと前記第１の筐体との接続部分を軸にして回転することが特徴。
2004061806.tif 000002
【特許請求の範囲】
【請求項１】
マトリクス状に配置された複数の画素から成る表示面を有する表示装置において、
前記表示装置は複数のパネルを有し、
その内、少なくとも１つは表面及び裏面にそれぞれ表示面を有する両面発光型パネルであることを特徴とする表示装置。
【請求項２】
複数の画素から成る表示面と、
互いに接続された第１の筐体及び第２の筐体と、
表面及び裏面にそれぞれ表示面を有する両面発光型パネルとを有する表示装置において、
前記両面発光型パネルは、前記第１の筐体と接続し且つ前記第１の筐体と重ねたときに前記第１の筐体と前記第２の筐体の間に位置するように配置され、前記両面発光型パネルと前記第１の筐体との接続部分を軸にして回転することを特徴とする表示装置。
【請求項３】
請求項２において、前記表示装置は、前記第１の筐体と前記第２の筐体との接続部分で折りたたむことにより、前記第１の筐体と前記第２の筐体を前記両面発光型パネルを介して重ね合わすことを特徴とする表示装置。
【請求項４】
請求項１または請求項２において、前記表示装置は、
前記両面発光型パネルの表面または裏面の一方の表示面である第１の表示面と、他方の表示面である第２の表示面と、
前記第１の表示面及び前記第２の表示面とは異なる別の表示面である第３の表示面とを有し、
前記第１の表示面を使用する第１の表示状態と、前記第２の表示面及び前記第３の表示面を使用する第２の表示状態とを有することを特徴とする表示装置。
【請求項５】
請求項４において、
前記第２の表示状態において、２つに分割された映像の一方を第１の映像、他方を第２の映像とし、
前記第２の表示面に前記第１の映像を表示し、前記第３の表示面に前記第２の映像を表示することを特徴とする表示装置。
【請求項６】
請求項４において、
前記第２の表示状態において、前記第２の表示面と前記第３の表示面にはそれぞれ別の映像を表示することを特徴とする表示装置。
【請求項７】
請求項１乃至請求項３のいずれか一項において、
前記表示装置は携帯情報端末であることを特徴とする表示装置。
【請求項８】
請求項７において、前記携帯情報端末は折りたたみ型であることを特徴とする表示装置。
【請求項９】
請求項１乃至請求項３のいずれか一項において、
前記両面発光型パネルは、表示素子としてＥＬ素子を用いることを特徴とする表示装置。
【請求項１０】
請求項１乃至請求項３のいずれか一項において、
前記両面発光型パネルは平面または曲面を有することを特徴とする表示装置。
【請求項１１】
請求項１乃至請求項３のいずれか一項に記載の表示装置を用いたことを特徴とする電子機器。
【発明の詳細な説明】
【技術分野】  本発明は、発光素子を備えた表示装置、特に、携帯電話機、ＰＤＡ（Ｐｅｒｓｏｎａｌ  Ｄｉｇｉｔａｌ  Ａｓｓｉｓｔａｎｔ）等の携帯情報端末に関する。
【背景技術】  近年、発光装置として、液晶素子を用いた画素を有する液晶ディスプレイ（ＬＣＤ）に代わり、エレクトロルミネッセンス（ＥＬ）素子等を代表とする自発光素子を用いた表示装置の研究開発が進められている。これらの発光装置は、発光型ゆえの高画質、広視野角、バックライトを必要としないことによる薄型、軽量等の利点を活かして、携帯電話機の表示画面やディスプレイ装置として幅広い利用が期待されている。
また、携帯情報端末においては、その使用目的の多角化によって高付加価値が求められ、最近では、ディスプレイは単なる電話やメールの表示に留まらず、カメラ機能による風景や人物等の表示、さらにはＷｅｂページの閲覧が可能であり、各種アプリケーションも充実してきている。また、映画やテレビ等の映像を表示できる機能をもった携帯情報端末も普及していくと思われる。
【発明の開示】
【発明が解決しようとする課題】  このように表示装置、特に携帯情報端末のディスプレイはより多くの情報を表示する機会が増えたが、現状のディスプレイでは画面が小さいため見えづらく、迫力ある映像を表示するのは困難である。そこで、より大画面のディスプレイを備えた表示装置及び携帯情報端末が必要となる。一方で、表示装置及び携帯情報端末においては、軽薄短小化が求められ、高付加価値化とのトレードオフになっている。
本発明は上記の課題に鑑みてなされたものであり、両面発光型パネル（両面表示が可能なパネル）を有し、かつ容積の小さいモジュールの実現が可能な表示装置及び携帯情報端末を提供することを課題とする。
【課題を解決するための手段】  前述の課題を解決するために、本発明においては以下のような手段を講じた。
本発明は、第１の表示面と、互いに接続されている第１の筐体及び第２の筐体と、表面に第２の表示面を、裏面に第３の表示面を有する両面発光型パネル（以後、両面表示パネルと称する。）とを有する表示装置において、前記両面表示パネルは前記第１の筐体と接続し且つ前記第１の筐体と重ねたときに前記第１の筐体と前記第２の筐体の間に位置するように配置され、前記両面表示パネルと前記第１の筐体との接続部分を軸にして回転することを特徴とする表示装置を提供する。これにより、第２の表示面を使用する表示状態と第１の表示面及び第３の表示面を使用する表示状態の両方が可能となる。
前記表示装置は、前記第１の筐体と前記第２の筐体との接続部分で折りたたむことにより、前記第１の筐体と前記第２の筐体を前記両面表示パネルを介して重ね合わせることができる。
本発明の表示装置は、マトリクス状に配置された複数の画素から成る表示面を有する表示装置において、前記表示装置は複数のパネルを有し、その内、少なくとも１つは表面及び裏面にそれぞれ表示面を有する両面表示パネルであることを特徴としている。
本発明の表示装置は、前記両面表示パネルの表面または裏面の一方の表示面である第２の表示面、他方の表示面である第３の表示面、前記第２の表示面及び前記第３の表示面とは異なる別の表示面である第１の表示面とを有し、前記第２の表示面が使用される第１の表示状態と、前記第１の表示面及び前記第３の表示面が使用される第２の表示状態とを有する。
本発明の表示装置は、前記第２の表示状態において、２つに分割された映像の一方を第１の映像、他方を第２の映像とし、前記第１の表示面または前記第３の表示面の一方に前記第１の映像を表示し、他方に前記第２の映像を表示してもよい。
本発明の表示装置は、前記第２の表示状態において、前記第１の表示面と前記第３の表示面にはそれぞれ別の映像を表示することができる。
本発明において、前記表示装置を携帯情報端末に適用することができる。
本発明において、前記両面表示パネルは、表示素子としてＥＬ素子を用いてもよい。
本発明において、前記表示装置は、折りたたみ型であってもよい。
前記両面表示パネルは、平面または曲面を有する表示装置を形成することができる。
【発明の効果】  本発明により、従来、限られた画面しか搭載できなかった表示装置及び携帯情報端末に、より大きな画面のディスプレイを搭載することが可能となり、また、片面表示パネルを２枚使った両面表示よりも両面表示パネルを使った両面表示は表示装置自体を薄く作製することができるため、軽薄短小化を保ちながら、表示装置及び携帯情報端末のさらなる高付加価値化が実現する。
【図面の簡単な説明】図１は本発明の一実施形態を示す図。
図２は本発明の一実施形態を示す図。
図３は本発明のディスプレイモジュールの構成例を示す図。
図４は本発明の表示装置を適用可能した電子機器を示す図。
図５は本発明の一実施形態を示す図。
図６は本発明の一実施形態を示す図。
図７は本発明の表示装置の断面図の例を示す図。
【発明を実施するための最良の形態】  以下、本発明の実施の態様について図面を参照しながら詳細に説明する。但し、本発明は多くの異なる態様で実施することが可能であり、本発明の趣旨及びその範囲から逸脱することなくその形態及び詳細を様々に変更し得ることは当業者であれば容易に理解される。従って、本発明は以下に示す実施の形態の記載内容に限定して解釈されるものではない。
（実施形態１）
折りたたみ型の携帯電話機に、両面表示パネル１００３を配置した例を図１に示す。
前記折りたたみ型の携帯電話機は、第１の筐体１００１、第２の筐体１００２、両面表示パネル１００３から成り、第１の筐体１００１は、音声出力部１００４、第１の表示面１００５等を有し、第２の筐体１００２は、操作ボタン１００６、音声入力部１００７等を有し、両面表示パネル１００３は、第２の表示面１００８、第３の表示面１１０１等を有する。
本発明は、携帯電話機の第１の筐体１００１と第２の筐体１００２の間に、両面表示パネル１００３を挟んだ構成となる。両面表示パネル１００３を第１の筐体１００１に重ねた時には、両面表示パネル１００３の第２の表示面１００８、つまり１面のみ表示面として用い、両面表示パネル１００３を第２の筐体１００２に重ねた時には、両面表示パネル１００３の第３の表示面１１０１と第１の表示面１００５、つまり２面を表示面として用いることができる。
図２（Ａ）は、１面のみ表示させた第１の表示状態の例である。第２の表示面２００１には、電話やメールといった比較的情報量が少ない場合や低消費電力のモードで表示させる時に用いる。
図２（Ｂ）は、２面表示させた第２の表示状態の例を示す。第３の表示面２１０１及び第１の表示面２１０２を表示させた第２の表示状態は、映画やテレビといったより大きな画面で見たいときや第２の表示面２００１の表示を拡大したいときに用いる。つまり、１つの映像を２つに分割し、分割された映像の一方を第３の表示面２１０１に表示し、分割された映像の他方を第１の表面２１０２に表示する。前記第２の表示状態での画面の操作はサイド操作ボタン２１０３で行ってもよいし、前記第３の表示面２１０１或は前記第１の表示面２１０２をタッチパネルにして行っても良い。
また、前記第２の表示状態において、第３の表示面２１０１及び第１の表示面２１０２にはそれぞれ異なる映像を表示させてもよい。例えば、一方には通話中の相手の映像を表示し、他方はＷｅｂ画面やアドレス帳等を参照したり、一方には通話中の相手の映像を表示し、他方は自分の映像を表示したり、複数の相手と同時に通話する場合には、通話中の相手の映像を別々に表示したりする。
また、図５は携帯電話機の第１の表示面５００１の右辺側を軸に両面表示パネルを回転させ、第３の表示面５００２と合わせて２面表示させる例である。このように、携帯電話機の第１の表示面と両面表示パネル１００３との接合部は第１の筐体の周辺ならどこにあっても良い。
本実施形態では、携帯電話機に両面表示パネルを用いる場合を示したが、ＰＤＡやノートパソコンのような携帯情報端末に用いても良い。また、両面表示パネルは、プラスチックで形成されていてもよいし、ガラスで形成されていてもよいし、折り曲げ可能なフィルム状のパネルであってもよい。これにより両面表示パネルは平面だけでなく曲面をも有する。
また、両面発光パネルが１枚の場合について説明したが、第１の筐体と第２の筐体の間ならば、複数枚挟んでもよい。
（実施形態２）
実施形態２では、第１の表示面と第２の表示面を有する両面発光型のパネルについて説明する。なお本明細書で透光性材料を用いた画素電極または対向電極とは、ＩＴＯ等の透明導電膜あるいは光を透過できる厚さで形成されたアルミニウム等を用いた膜を指し、反射材料とはアルミニウム等を用いた光を反射する性質を持つ導電性材料を指すものとする。
図６（Ａ）は、駆動用ＴＦＴ６００１、透光性材料を用いた画素電極６００２、ＥＬ層６００３、透光性材料を用いた対向電極６００４、第１の表示領域６００５、第２の表示領域６００６等を有する。
駆動用ＴＦＴ６００１に接続された画素電極６００２と対向電極６００４間に電流が流れ、第１の表示領域６００５のＥＬ層６００３が発光する。このとき、画素電極６００２及び対向電極６００４は透光性材料を用いているため、ＥＬ層６００３から対向電極６００４と、画素電極６００２の両方向に光が出射される。
図６（Ｂ）は、第１の駆動用ＴＦＴ６１０１、第２の駆動用ＴＦＴ６１０２、反射材料を用いた第１の画素電極６１０３、透光性材料を用いた第２の画素電極６１０４、ＥＬ層６１０５、透光性材料を用いた対向電極６１０６、反射材料を用いた反射膜６１０７、第１の表示領域６１０８、第２の表示領域６１０９等を有する。
第１の駆動用ＴＦＴ６１０１に接続された第１の画素電極６１０３と対向電極６１０６間に電流が流れ、第１の表示領域６１０８のＥＬ層６１０５が発光する。このとき、第１の画素電極６１０３は光を反射し、対向電極６１０６は光を透過するため、ＥＬ層６１０５から対向電極６１０６の方向に光が出射される。
また、第２の駆動用ＴＦＴ６１０２に接続された第２の画素電極６１０４と対向電極６１０６間に電流が流れ、第２の表示領域６１０９のＥＬ層６１０５が発光する。このとき、反射膜６１０７は光を反射し、第２の画素電極６１０４は光を透過するため、ＥＬ層６１０５から画素電極６１０４の方向に光が出射される。
また、ＥＬの発光色はモノカラーであってもいいしＲ、Ｇ、Ｂ塗りわけのフルカラーであっても良いし、これにカラーフィルターを組み合わせても良い。また、白色ＥＬにカラーフィルターを付加したフルカラーであっても良い。
ＥＬ層６１０５は、具体的には有機化合物又は無機化合物を含む電荷注入輸送物質及び発光材料で形成される。ＥＬ層６１０５はその分子数から低分子系有機化合物、中分子系有機化合物（昇華性を有さず、且つ分子数が２０以下、又は連鎖する分子の長さが１０μｍ以下の有機化合物を指していう）、高分子系有機化合物から選ばれた一種又は複数種の層を含む。またＥＬ層６１０５は、電子注入輸送性又は正孔注入輸送性の無機化合物と前記有機化合物とを組み合わせて形成された層を含んでも良い。無機化合物材料である電荷注入輸送物質としては、ダイヤモンド状カーボン（ＤＬＣ）、Ｓｉ、Ｇｅ、これらの酸化物又は窒化物があり、Ｐ、Ｂ、Ｎなどが適宜ドーピングされていても良い。またアルカリ金属又はアルカリ土類金属の酸化物、窒化物又はフッ化物でも良く、当該金属とＺｎ、Ｓｎ、Ｖ、Ｒｕ、Ｓｍ、もしくはＩｎとの化合物又は合金であっても良い。
ＥＬ層６１０５を形成する好適な材料のなかで、低分子系有機発光材料としては、Ａｌｑ３、ＢＡｌｑ２、Ａｌｍｑ３、ＤＰＶＢｉ、ＰＶＫ、トリフェニルアミン誘導体（ＴＰＤ）などがある。これらをホスト材料として、ドーパントとしてキナクリドンなどを添加する。
一方、高分子系有機発光材料は低分子系に比べて物理的強度が高く、素子の耐久性が高い。また塗布により成膜することが可能であるので、素子の作製が比較的容易である。高分子系有機発光材料を用いた発光素子の構造は、低分子系有機発光材料を用いたときと基本的には同じであり、陰極／有機発光層／陽極となる。
高分子系有機発光材料を用いたＥＬ層６１０５を形成する際には、低分子系有機発光材料を用いたときのような積層構造を形成させることは難しく、多くの場合２層構造となる。具体的には、陰極／発光層／正孔輸送層／陽極という構造である。発光色は、発光層を形成する材料で決まるため、これら発光層を形成する材料を選択することで所望の発光を示す発光素子を形成することができる。発光層の形成に用いることができる高分子系の電界発光材料は、ポリパラフェニレンビニレン系、ポリパラフェニレン系、ポリチオフェン系、ポリフルオレン系が挙げられる。
ポリパラフェニレンビニレン系には、ポリ（パラフェニレンビニレン）［ＰＰＶ］の誘導体、ポリ（２，５−ジアルコキシ−１，４−フェニレンビニレン）［ＲＯ−ＰＰＶ］、ポリ（２−（２’−エチル−ヘキソキシ）−５−メトキシ−１，４−フェニレンビニレン）［ＭＥＨ−ＰＰＶ］、ポリ（２−（ジアルコキシフェニル）−１，４−フェニレンビニレン）［ＲＯＰｈ−ＰＰＶ］等が挙げられる。ポリパラフェニレン系には、ポリパラフェニレン［ＰＰＰ］の誘導体、ポリ（２，５−ジアルコキシ−１，４−フェニレン）［ＲＯ−ＰＰＰ］、ポリ（２，５−ジヘキソキシ−１，４−フェニレン）等が挙げられる。ポリチオフェン系には、ポリチオフェン［ＰＴ］の誘導体、ポリ（３−アルキルチオフェン）［ＰＡＴ］、ポリ（３−ヘキシルチオフェン）［ＰＨＴ］、ポリ（３−シクロヘキシルチオフェン）［ＰＣＨＴ］、ポリ（３−シクロヘキシル−４−メチルチオフェン）［ＰＣＨＭＴ］、ポリ（３，４−ジシクロヘキシルチオフェン）［ＰＤＣＨＴ］、ポリ［３−（４−オクチルフェニル）−チオフェン］［ＰＯＰＴ］、ポリ［３−（４−オクチルフェニル）−２，２ビチオフェン］［ＰＴＯＰＴ］等が挙げられる。ポリフルオレン系には、ポリフルオレン［ＰＦ］の誘導体、ポリ（９，９−ジアルキルフルオレン）［ＰＤＡＦ］、ポリ（９，９−ジオクチルフルオレン）［ＰＤＯＦ］等が挙げられる。
以上に掲げる材料は一例であり、これらを用いて正孔注入輸送層、正孔輸送層、電子注入輸送層、電子輸送層、発光層、電子ブロック層、正孔ブロック層などの機能性の各層を適宜積層することで発光素子を形成することができる。また、これらの各層を合わせた混合層又は混合接合を形成しても良い。
また、白色に発光するＥＬ層を形成するには、例えば、Ａｌｑ３、部分的に赤色発光色素であるナイルレッドをドープしたＡｌｑ３、Ａｌｑ３、ｐ−ＥｔＴＡＺ及びＴＰＤ（芳香族ジアミン）を蒸着法により順次積層することで白色を得ることができる。また、スピンコートを用いた塗布法によりＥＬ層を形成する場合には、塗布した後、真空加熱で焼成することが好ましい。例えば、正孔注入層として作用するポリ（エチレンジオキシチオフェン）／ポリ（スチレンスルホン酸）水溶液（ＰＥＤＯＴ／ＰＳＳ）を全面に塗布、焼成し、その後、発光層として作用する発光中心色素（１，１，４，４−テトラフェニル−１，３−ブタジエン（ＴＰＢ）、４−ジシアノメチレン−２−メチル−６−（ｐ−ジメチルアミノ−スチリル）−４Ｈ−ピラン（ＤＣＭ１）、ナイルレッド、クマリン６など）ドープしたポリビニルカルバゾール（ＰＶＫ）溶液を全面に塗布して焼成すればよい。
ＥＬ層６１０５は単層で形成することもでき、ホール輸送性のポリビニルカルバゾール（ＰＶＫ）に電子輸送性の１，３，４−オキサジアゾール誘導体（ＰＢＤ）を分散させてもよい。また、３０ｗｔ％のＰＢＤを電子輸送剤として分散し、４種類の色素（ＴＰＢ、クマリン６、ＤＣＭ１、ナイルレッド）を適当量分散することで白色発光が得られる。ここで示した白色発光が得られる発光素子の他にも、ＥＬ層６１０５の材料を適宜選択することによって、赤色発光、緑色発光または青色発光が得られる発光素子を作製することができる。
また、ＥＬ層６１０５は、上記した一重項励起発光材料の他、金属錯体などを含む三重項励起材料を用いても良い。
【実施例】  以下に、本発明の実施例について記載する。
【実施例１】  本発明の表示モジュール部の例を、図３を用いて説明する。
信号制御回路３００１はＣＰＵ３００２、メモリＡ３００３、メモリＢ３００４及びメモリコントローラ３００５等により構成され、両面表示パネル３００７は、第１のソース信号線駆動回路３００８、第１のゲート信号線駆動回路３００９、第１の表示面３０１０、前記第１の表示面の裏側に位置する第２の表示面等により構成され、表示パネル３０１１は、第２のソース信号線駆動回路３０１２、第２のゲート信号線駆動回路３０１３及び第３の表示面３０１４等により構成される。
第１の表示状態において、スイッチ３０１５はオフする。ディスプレイコントローラ３００６により、両面表示パネル３００７が動作するための信号及び駆動電圧が、第１のソース信号線駆動回路３００８及び第１のゲート信号線駆動回路３００９等に入力される。このとき、スイッチ３０１５がオフであるため、表示パネル３０１１は動作しない。
また、信号制御回路３００１に入力された映像信号は、メモリコントローラ３００５により制御され、メモリＡ３００３またはメモリＢ３００４に入力され、記憶される。その後、メモリコントローラ３００５により、両面表示パネル３００７が選択され、メモリＡ３００３またはメモリＢ３００４から順に読み出された映像信号が第１のソース信号線駆動回路３００８に入力される。
第２の表示状態において、スイッチ３０１５はオンする。スイッチ３０１５がオンであるため、両面表示パネル３００７及び表示パネル３０１１が動作するための信号及び駆動電圧が、第１のソース信号線駆動回路３００８、第１のゲート信号線駆動回路３００９、第２のソース信号線駆動回路３０１２及び第２のゲート信号線駆動回路３０１３等に入力される。
第２の表示状態において、１つの映像を２つに分け、それぞれを両面表示パネル３００７及び表示パネル３０１１で表示する場合は、映像信号が、画素数、表示モードにあわせて、メモリコントローラ３００５により変換された後、左右に分割され、両面表示パネル３００７及び表示パネル３００８にそれぞれ入力される。
また、第２の表示状態において、異なる映像を両面表示パネル３００７及び表示パネル３０１１に表示する場合は、信号制御回路３００１に入力された第１の映像信号をメモリＡ３００３に入力し、第２の映像信号をメモリＢ３００４に入力し、それぞれ記憶する。その後、メモリコントローラ３００５により、前記第１の映像信号が順に読み出され、第１のソース信号線駆動回路３００８に入力され、前記第２の映像信号は第２のソース信号線駆動回路３０１２に入力される。
本実施例において、両面表示パネル３００７及び表示パネル３０１１内の駆動回路について、一般的な構成を示したが、これに限るものではない。特に両面表示パネル３００７ついては、縦横切り替え可能な駆動回路構成を採用してもよいし、表示方向に応じメモリＡ３００３及びメモリＢ３００４に記憶された映像信号をメモリコントローラ３００５により並べ替え、表示させてもよい。また、表示方向に応じ左右反転及び上下反転ができるよう、ソース信号線駆動回路及びゲート信号線駆動回路を走査方向切り替え可能な構成としてもよい。
また、ここでは、アクティブマトリクス型の両面表示パネルの構成例ついて説明したが、パッシブマトリクス型の両面表示パネルで構成してもよい。
【実施例２】  実施例１において説明した表示モジュールの断面図の例を図７に示す。
第１の筐体７００１、第２の筐体７００２及び両面表示パネル７００３を有し、第１の筐体７００１は第１の表示部７００４等を有し、第２の筐体７００２は操作ボタン７００７、ディスプレイコントローラ７００８、信号制御部７００９及びバッテリー部７０１０等を有し、両面表示パネル７００３は、第２の表示面７００５及び第３の表示面７００６等を有する。それぞれの接続、働きについては実施例１と同様である。
【実施例３】  本発明の表示装置を、ノートパソコン、ＰＤＡ及び電子ブックに用いる例を説明する。１枚の両面表示パネルで表・裏の２方向への表示が可能なため、図４（Ａ）、（Ｂ）、（Ｃ）に示すようにパネル両面に表示面を設けた場合にも、表示装置の筐体の厚さを抑えることが可能となる。
図４（Ａ）は、ノートパソコンに両面表示パネル４００３を搭載した例である。第１の筐体４００５は第１の表示面４００１を有し、第２の筐体４００６は操作ボタン４００４等を有し、両面表示パネル４００３は表面に第２の表示面４００２及び第２の表示面４００２の裏面に第３の表示面を有し、両面表示パネル４００３は第１の筐体４００５と第２の筐体４００６の間に挟まれている。
通常の使用においては１面のみを表示させ、両面表示パネル４００３を第１の筐体に重ね、第２の表示面を用いる。また、大画面が必要な時には両面表示パネルを第２の筐体に重ね、２面表示させる。
図４（Ｂ）は、ＰＤＡに両面表示パネル４１０３を搭載した例である。第１の筐体４１０５は第１の表示面４１０１を有し、第２の筐体４１０６は操作ボタン４１０４等を有し、両面表示パネル４１０３は表面に第２の表示面４１０２及び第２の表示面４１０２の裏面に第３の表示面を有し、両面表示パネル４１０３は第１の筐体４１０５と第２の筐体４１０６の間に挟まれている。
通常の使用においては１面のみを表示させ、両面表示パネル４１０３を第１の筐体に重ね、第２の表示面を用いる。また、大画面が必要な時には両面表示パネルを第２の筐体に重ね、２面表示させる。
図４（Ｃ）は、電子ブックに両面表示パネル４２０３を搭載した例である。第１の筐体４２０５は第１の表示面４２０１を有し、第２の筐体４２０６は操作ボタン４２０４及び第４の表示面４２０７を有し、両面表示パネル４２０３は、表面に第２の表示面４２０２を有し、裏面に第３の表示面を有し、両面表示パネル４２０３は、第１の筐体と第２の筐体の間に挿入されている。
両面表示パネル４２０３を挿入した電子ブックの使い方の例としては、第１の表示面４２０１及び第３の表示面で文章を読み、第２の表示面４２０２及び第４の表示面４２０７で図を参照するのは便利である。この時、両面表示パネル４２０３をめくり始めた時に、両面表示パネルの表示が第３の表示面の表示から第２の表示面の表示に切り替わっても良い。
また、第１の表示面から第３の表示面を読んで、次のページ、両面表示パネルをめくり始めた時に、ある角度で第２の表示面及び第４の表示面は次のページの表示を行い、また、第２の表示面及び第４の表示面を使い終わり、両面表示パネルをめくり始めるとある角度で第１の表示面及び第３の表示面が次のページを表示しても良い。これにより、画面の切り替わりを目に見えないようにし、視覚的な違和感等を抑えることが可能となる。
【図１】
2004061806.tif 000003
【図２】
2004061806.tif 000004
【図３】
2004061806.tif 000005
【図４】
2004061806.tif 000006
【図５】
2004061806.tif 000007
【図６】
2004061806.tif 000008
【図７】
2004061806.tif 000009
【国際調査報告】
2004061806.tif 000010
2004061806.tif 000011
2004061806.tif 000012
2004061806.tif 000013